(57)【要約】  【課題】  接続端子と接続端子開口部に隙間が設けられているため、接続端子へ接続プラグを取り付けたり取り外したりする際、接続端子がこじられ、空いている隙間分、接続端子が移動してしまい、接続端子の半田剥離により接続信頼性が損なわれる。また、接続端子と接続端子開口部に隙間が設けられているため、接続端子正面より接続端子開口を見ると見栄えが悪い。  【解決手段】  接続端子開口部に段差部を設け接続端子開口部と接続プラグの隙間を詰めることで接続信頼性の向上をはかる。また段差部が接続端子と接続端子開口部の隙間の目隠しとなり、接続端子正面より接続端子開口を見た場合の見栄え向上となる。【選択図】  図２ａ
2013130743.tif 000002
【特許請求の範囲】
【請求項１】
複数の外部接続端子３０ａ  ３０ｂと、外部接続端子へ接続プラグを接続するために外装部３１に接続端子開口部３１ａと接続端子逃げ部３１ｄを有する接続端子開口構造において、前記接続端子開口部３１ａは接続端子開口段差部３１ｂを有し、ａを接続端子開口段差部３１ｂと接続端子外形板厚の内側までの距離とし、ｂを接続端子逃げ部３１ｄと接続端子外形板厚の外側までの距離とし、ｔを接続端子の外形板厚とすると、ａ＜ｔかつａ＜ｂの関係が成り立つことを特徴とする接続端子開口構造。
【請求項２】
前記外部接続端子３０ａ  ３０ｂは撮像装置レンズ２１の下部に配置した基板３３の下面側に実装したことを特徴とする接続端子開口構造。
【発明の詳細な説明】
【技術分野】
【０００１】
本発明は外部機器との接続を行うためのジャックなどの接続端子の開口構造に関するものである。
【背景技術】
【０００２】
近年、デジタルビデオやデジタルカメラなどの撮像装置においては様々な機能を付加した撮像装置の多機能化が進んでいる。ここで撮像装置においては、多機能化することで、外部機器と接続するための接続端子の塔載は不可欠となっている。
【０００３】
以下に示した先行技術においては、外部機器と接続するための接続端子として電池カプラーの例が示されている。
【０００４】
図５は撮像装置の内部構成を示すブロック図である。図５に示すように、撮像装置２００は、レンズ２１、撮像素子２２、カメラ信号処理部２３、モニタ２４、レコーダ２５、電源回路２６、外部接続端子２７、制御マイコン２８、操作キー２９を備える。撮像装置の原理としては、レンズ２１を通ってきた光が撮像素子２２によって電気信号に変えられ、カメラ信号処理部２３によってデジタル処理される。そして像をレコーダ２５に記録し、モニタ２４に表示する構成となっている。また、撮影者はモニタ２４に表示される像を確認しつつ操作キー２９を操作する。この操作キー２９の操作内容を示すデータは、制御マイコン２８により具体的な処理内容を示すコマンドにブレークダウンされた後、各部に供給される。また、外部接続端子２７によって映像が外部モニタに表示されたり、外部記録装置へデータを転送する仕組みになっている。
【０００５】
図６ａは外部機器と接続するための接続端子を搭載した撮像装置の外観図である。また図６ｂは撮像装置における外部接続端子周辺の拡大図であり、図６ｃは撮像装置における外部接続端子の断面図であり、、図６ｄは別の従来例の撮像装置における外部接続端子へ接続プラグを接続した状態での外部接続端子の断面図である。ここで２００は撮像装置で、１３０ａは外部接続端子１、１３０ｂは外部接続端子２、１３１は外装部、１３１ａは接続端子開口部、１３２は接続プラグである。図６ｂで示した通り、外部接続端子１  １３０ａと外部接続端子２  １３０ｂの板厚の最外形部は接続端子開口部１３１ａから見える構成となる。また図６ｃで示した通り、外部接続端子１と接続端子開口部１３１ａにおいては従来から隙間が設けられている。これは接続端子外形の寸法バラツキによる接続端子開口部１３１ａとの干渉の防止や、組み立てる際の組み立て性向上のためである。
【先行技術文献】
【特許文献】
【０００６】
【特許文献１】特開２００９−５４３３５号公報
【発明の概要】
【発明が解決しようとする課題】
【０００７】
しかしながら、図６ｃのような従来例では、以下のような課題があった。
（課題１）
接続端子と接続端子開口部に隙間が設けられているため、接続端子へ接続プラグを取り付けたり取り外したりする際、接続端子がこじられ、空いている隙間分、接続端子が移動してしまい、接続端子の半田剥離により接続信頼性が損なわれるといった課題があった。
（課題２）
また、接続端子と接続端子開口部に隙間が設けられているため、接続端子正面より接続端子開口を見ると見栄えが悪いといった課題があった。
【０００８】
また図６ｄのような従来例では、以下のような課題があった。
（課題３）
接続端子を組み立てる際、組み立て時のガイドがなく接続端子と接続端子開口部にズレが生じてしまい、見栄えが悪いといった課題があった。
（課題４）
衝撃が加わった際、接続端子の受けがないため、接続端子と接続端子開口部にズレが生じてしまい、見栄えが悪いといった課題があった。
【０００９】
そこで、本発明は上述の実情に鑑み、接続端子の接続信頼性向上と接続端子開口部の見栄えを向上した接続端子開口構造を提供するものである。
【課題を解決するための手段】
【００１０】
本発明の接続端子開口構造は、複数の外部接続端子と、外部接続端子へ接続プラグを接続するために外装部に接続端子開口部と接続端子逃げ部を有する接続端子開口構造において、前記接続端子開口部は接続端子開口段差部を有し、ａを接続端子開口段差部と接続端子外形板厚の内側までの距離とし、ｂを接続端子逃げ部と接続端子外形板厚の外側までの距離とし、ｔを接続端子の外形板厚とすると、ａ＜ｔかつａ＜ｂの関係が成り立つことを特徴としている。
また、本発明の他の特徴とするところは、前記外部接続端子は撮像装置レンズに対して上下方向に干渉しない位置関係にあることを特徴としている。
【発明の効果】
【００１１】
以上説明したように、本発明に係る接続端子開口構造は、接続端子の接続信頼性向上と接続端子開口部の見栄え向上といった効果がある。
【図面の簡単な説明】
【００１２】
【図１ａ】本発明に係る外部機器と接続するための接続端子を搭載した撮像装置の外観図である。
【図１ｂ】接続端子開口部を有する外装部単品と外部接続端子が実装された基板の分解図である。
【図２ａ】本発明の実施例に係る撮像装置における外部接続端子の断面図である。
【図２ｂ】図２ａにおける外部接続端子へ接続プラグを接続した状態での接続端子開口部の拡大図である。
【図３】本発明の実施例に係る撮像装置における外部接続端子周辺の拡大図である。
【図４】本発明の実施例に係る撮像装置のレンズと外部接続端子の位置関係を表す断面図である。
【図５】従来の撮像装置の内部構成を示すブロック図である。
【図６ａ】外部機器と接続するための接続端子を搭載した従来の撮像装置の外観図である。
【図６ｂ】従来の撮像装置における外部接続端子周辺の拡大図である。
【図６ｃ】従来の撮像装置における外部接続端子の断面図である。
【図６ｄ】別の従来例の撮像装置における外部接続端子へ接続プラグを接続した状態での外部接続端子の断面図である。
【発明を実施するための形態】
【００１３】
以下、本発明の実施の形態について、図面を参照しながら説明する。なお、本撮像装置１００は、先に説明した従来の撮像装置２００と同様のシステム（図５）を有するものとし、ここでの説明は省略する。
【００１４】
（図１ａと図１ｂの説明）
図１ａに本発明に係る外部機器と接続するための接続端子を搭載した撮像装置の外観図を示す。ここで１００は撮像装置で、３０ａは外部接続端子１、３０ｂは外部接続端子２、３１は外装部、３１ａは接続端子開口部である。また図１ｂに接続端子開口部３１ａを有する外装部３１単品と外部接続端子１  ３０ａと外部接続端子２  ３０ｂが実装された基板３３の分解図を示す。ここで、外部接続端子１  ３０ａと外部接続端子２  ３０ｂは同一の基板３３に実装され、同一の外装部３１に設けられた接続端子開口部３１ａに組み立てられる構成となっている。外部接続端子に関して、例えば、外部接続端子１  ３０ａはＨＤＭＩ端子であり、外部接続端子２  ３０ｂはＵＳＢ端子である。
【００１５】
（図２ａ、図２ｂの説明）
図２ａに本発明に係る撮像装置における外部接続端子の断面図、図２ｂに図２ａにおける外部接続端子へ接続プラグを接続した状態での接続端子開口部の拡大図を示す。ここで、３０ａは外部接続端子１、３１は外装部、３１ａは接続端子開口部、３１ｂは接続端子開口段差部、３１ｃは基板受け部、３２は接続プラグ、３３は基板である。
【００１６】
図２ａ、図２ｂに示すように、外部接続端子１  ３０ａは接続端子開口部３１ａの板厚内で内側へ移動し、空いた接続端子開口部３１ａの板厚の外側の範囲において接続端子開口部３１ａは接続端子開口段差部３１ｂを有する。この接続端子開口段差部３１ｂの分、接続プラグ３２と接続端子開口部３１ａの隙間は詰まる構成となる。ここで接続プラグ３２をこじられた際、接続端子開口段差部３１ｂが接続プラグ３２を受ける構造となるため、接続プラグ３２と接続端子開口部３１ａの隙間が詰まった分、外部接続端子１  ３０ａの移動量は規制され、外部接続端子１  ３０ａの半田剥離の可能性は低減され、接続信頼性の向上につながる。また外装部３１は基板受け部３１ｃを有し、外部接続端子１  ３０ａがこじられた際、基板３３の移動量を規制し、外部接続端子１  ３０ａの半田剥離を防止する。結果として接続信頼性がさらに向上する構造となっている。また、外部接続端子と接続端子開口部の間には従来の隙間が確保されている。これは図１ｂで説明したとおり、外部接続端子１  ３０ａと外部接続端子２  ３０ｂは同一の基板３３に実装され、同一の外装部３１に設けられた接続端子開口部３１ａに組み立てられる際、外部接続端子のお互いの位置のバラツキや外部接続端子外形寸法のバラツキなどにより、組み立て性が低下することを防ぐためである。
【００１７】
また、図２ｂで接続端子の開口部の構造の隙間と面の関係をアルファベットで示した。ａは、接続端子開口段差部３１ｂと接続端子外形板厚の内側までの距離で、ｂは、外装部３１における接続端子逃げ部３１ｄと接続端子外形板厚の外側までの距離で、ｔは接続端子の外形板厚である。ここで、ａ＜ｔかつａ＜ｂの関係が成り立つ。従来は、図６ｃで示した通り、ａ＞ｔかつａ＞ｂの関係であったため、接続プラグがこじられた際、面αと面βが先に当たる構造となっていたが、本発明における撮像装置においては面ｘが面ｙに先に当たる構造となっており、ａ＜ｂの関係が成り立っていることから接続端子の移動量は少なく接続信頼性が向上していることが言える。また、ａ＜ｔの関係は接続端子開口の全周に同一の関係となっており、接続端子と接続端子開口部に隙間ができず、接続端子開口部の見栄えが向上していると言える。
【００１８】
また、図６ｄに示した従来例のような構造に対する優位性としては、以下がある。
【００１９】
面βが全周にあることで全方向に対して、組み立て時のガイドとなり、衝撃が加わった時のズレ防止となる。また、特に複数の接続端子が並んでいる場合は、各々の接続端子においては同じ寸法関係とすることで見栄えと信頼性向上が確実になる。
【００２０】
（図３の説明）
図３に本発明に係る撮像装置における外部接続端子周辺の拡大図を示す。ここで、３０ａは外部接続端子１、３０ｂは外部接続端子２、３１は外装部、３１ａは接続端子開口部である。
【００２１】
図２ａ、図２ｂで説明した通り、接続端子開口部３１ａに接続端子開口段差部３１ｂを設けたため、外部接続端子１  ３０ａと外部接続端子２  ３０ｂの板厚の最外形部は外観から隠れる構成となる。
【００２２】
（図４の説明）
図４に本発明に係る撮像装置のレンズと外部接続端子の位置関係を表す断面図を示す。ここで２１はレンズ、３０ａは外部接続端子１、３１は外装部、３３は基板、３４は受け部材である。
【００２３】
図４に示すように、外部接続端子１  ３０ａは撮像装置レンズ２１の下部に配置した基板３３の下面側に実装されている。また外部接続端子１  ３０ａを基板３３の下側に配置することで強度のある外装部３１から、外部接続端子１  ３０ａの受け部材３４が配設可能である。このため、外部接続端子１  ３０ａの接続信頼性はさらに確保される構造となっている。
【００２４】
なお、上記内容は外部接続端子２  ３０ｂに関しても同様である。
【符号の説明】
【００２５】
１００‥‥撮像装置
３０ａ・・・・外部接続端子１
３０ｂ・・・・外部接続端子２
３１・・・・外装部
３１ａ・・・・接続端子開口部
３１ｂ・・・・接続端子開口段差部
３１ｃ・・・・基板受け部
３１ｄ・・・・接続端子逃げ部
３２・・・・接続プラグ
３３・・・・基板
３４・・・・受け部材
２００‥‥撮像装置
２１・・・・レンズ
２２・・・・撮像素子
２３・・・・カメラ信号処理部
２４・・・・モニタ
２５・・・・レコーダ
２６・・・・電源
２７・・・・外部接続端子
２８・・・・制御マイコン
２９・・・・操作キー
１３０ａ・・・・外部接続端子１
１３０ｂ・・・・外部接続端子２
１３１・・・・外装部
１３１ａ・・・・接続端子開口部
１３２・・・・接続プラグ
【図１ａ】
2013130743.tif 000003
【図１ｂ】
2013130743.tif 000004
【図２ａ】
2013130743.tif 000005
【図２ｂ】
2013130743.tif 000006
【図３】
2013130743.tif 000007
【図４】
2013130743.tif 000008
【図５】
2013130743.tif 000009
【図６ａ】
2013130743.tif 000010
【図６ｂ】
2013130743.tif 000011
【図６ｃ】
2013130743.tif 000012
【図６ｄ】
2013130743.tif 000013